(57)【特許請求の範囲】
【請求項１】
複数の蓄電セル（１１）および複数の蓄電セルホルダ（１２）を積層方向に交互に積層し、前記複数の蓄電セルホルダ（１２）の各々に設けたサーミスタ保持部（１２ｃ）の少なくとも一つにサーミスタ（２１Ａ，２１Ｂ）を支持し、前記サーミスタ（２１，２１Ｂ）は測温部（２１ｅ）およびばね部材（２１ｄ）を備え、前記ばね部材（２１ｄ）の弾発力で前記測温部（２１ｅ）を前記蓄電セル（１１）に押し付ける蓄電モジュールであって、
前記サーミスタ保持部（１２ｃ）は、前記ばね部材（２１ｄ）が当接して前記蓄電セル（１１）から遠ざかる方向に付勢されるばね部材当接部（１２ｅ）と、前記ばね部材当接部（１２ｅ）に接続されて積層方向に延びる軸部（１２ｇ）と、前記軸部（１２ｇ）の積層方向一端側に設けられた第１係合部（１２ｈ）と、前記軸部（１２ｇ）の積層方向他端側に設けられた第２係合部（１２ｉ）とを備え、積層方向に隣接する一対の蓄電セルホルダ（１２）の一方の前記第１係合部（１２ｈ）が他方の前記第２係合部（１２ｉ）に係合することで、前記ばね部材当接部（１２ｅ）が前記蓄電セル（１１）から遠ざかる方向へ変形するのを規制することを特徴とする蓄電モジュール。
【請求項２】
前記第１係合部（１２ｈ）および前記第２係合部（１２ｉ）は相互に凹凸係合することを特徴とする、請求項１に記載の蓄電モジュール。
【請求項３】
前記第１係合部（１２ｈ）および前記第２係合部（１２ｉ）は、ピン形状とピン孔形状とで相互に凹凸係合することを特徴とする、請求項２に記載の蓄電モジュール。
【請求項４】
前記蓄電セルホルダ（１２）は前記蓄電セル（１１）の主面（１１ａ）に接触するプレート部（１２ａ）を備え、前記サーミスタ保持部（１２ｃ）は前記プレート部（１２ａ）の下端に接続され、前記第１係合部（１２ｈ）および前記第２係合部（１２ｉ）は前記プレート部（１２ａ）の下方への延長線上で係合することを特徴とする、請求項１〜請求項３の何れか１項に記載の蓄電モジュール。
【請求項５】
前記蓄電セルホルダ（１２）の前記プレート部（１２ａ）の上端に前記蓄電セル（１１）の頂面に係合する第３係合部（１２ｂ）を設けたことを特徴とする、請求項４に記載の蓄電モジュール。
【発明の詳細な説明】
【技術分野】
【０００１】
本発明は、複数の蓄電セルおよび複数の蓄電セルホルダを積層方向に交互に積層し、前記複数の蓄電セルホルダの各々に設けたサーミスタ保持部の少なくとも一つにサーミスタを支持し、前記サーミスタは測温部およびばね部材を備え、前記ばね部材の弾発力で前記測温部を前記蓄電セルに押し付ける蓄電モジュールに関する。
【背景技術】
【０００２】
蓄電モジュールを構成する蓄電セルの温度が過剰に上昇すると劣化の原因となるため、蓄電セルの温度をサーミスタで検出し、その温度が過剰に上昇した場合には充放電の電流を制限したり積極的に冷却を行ったりすることで、温度上昇を抑制して蓄電セルの劣化を防止する必要がある。
【０００３】
下記特許文献１には、隣接する蓄電セル間の挟持したセパレータ（蓄電セルホルダ）にサーミスタを装着し、そのサーミスタを蓄電セルに接触させて温度を検出するものが記載されている。
【先行技術文献】
【特許文献】
【０００４】
【特許文献１】特開２０１０−２８７５５０号公報
【発明の概要】
【発明が解決しようとする課題】
【０００５】
ところで、蓄電セルホルダのサーミスタ保持部に保持したサーミスタをばね部材で付勢して測温部を蓄電セルに接触させる場合、ばね部材が蓄電セルから受ける反力で時間の経過と共にサーミスタ保持部が変形してしまい、サーミスタの測温部が蓄電セルに密着できなくなって温度の測定精度が低下してしまう可能性がある。
【０００６】
本発明は前述の事情に鑑みてなされたもので、蓄電セルホルダに保持されて蓄電セルの温度を検出するサーミスタが蓄電セルから浮き上がって温度検出の精度が低下するのを防止することを目的とする。
【課題を解決するための手段】
【０００７】
上記目的を達成するために、請求項１に記載された発明によれば、複数の蓄電セルおよび複数の蓄電セルホルダを積層方向に交互に積層し、前記複数の蓄電セルホルダの各々に設けたサーミスタ保持部の少なくとも一つにサーミスタを支持し、前記サーミスタは測温部およびばね部材を備え、前記ばね部材の弾発力で前記測温部を前記蓄電セルに押し付ける蓄電モジュールであって、前記サーミスタ保持部は、前記ばね部材が当接して前記蓄電セルから遠ざかる方向に付勢されるばね部材当接部と、前記ばね部材当接部に接続されて積層方向に延びる軸部と、前記軸部の積層方向一端側に設けられた第１係合部と、前記軸部の積層方向他端側に設けられた第２係合部とを備え、積層方向に隣接する一対の蓄電セルホルダの一方の前記第１係合部が他方の前記第２係合部に係合することで、前記ばね部材当接部が前記蓄電セルから遠ざかる方向へ変形するのを規制することを特徴とする蓄電モジュールが提案される。
【０００８】
また請求項２に記載された発明によれば、請求項１の構成に加えて、前記第１係合部および前記第２係合部は相互に凹凸係合することを特徴とする蓄電モジュールが提案される。
【０００９】
また請求項３に記載された発明によれば、請求項２の構成に加えて、前記第１係合部および前記第２係合部は、ピン形状とピン孔形状とで相互に凹凸係合することを特徴とする蓄電モジュールが提案される。
【００１０】
また請求項４に記載された発明によれば、請求項１〜請求項３の何れか１項の構成に加えて、前記蓄電セルホルダは前記蓄電セルの主面に接触するプレート部を備え、前記サーミスタ保持部は前記プレート部の下端に接続され、前記第１係合部および前記第２係合部は前記プレート部の下方への延長線上で係合することを特徴とする蓄電モジュールが提案される。
【００１１】
また請求項５に記載された発明によれば、請求項４の構成に加えて、前記蓄電セルホルダの前記プレート部の上端に前記蓄電セルの頂面に係合する第３係合部を設けたことを特徴とする蓄電モジュールが提案される。
【００１２】
尚、実施の形態の横壁部１２ｅは本発明のばね部材当接部に対応する。
【発明の効果】
【００１３】
請求項１の構成によれば、複数の蓄電セルおよび複数の蓄電セルホルダを積層方向に交互に積層し、複数の蓄電セルホルダの各々に設けたサーミスタ保持部の少なくとも一つにサーミスタを支持する。サーミスタは測温部およびばね部材を備え、ばね部材の弾発力で測温部を蓄電セルに押し付けることで、蓄電セルの温度を測定する。サーミスタ保持部はばね部材が当接するばね部材当接部を備えるため、ばね部材がばね部材当接部を蓄電セルから遠ざかる方向に付勢すると、その荷重でサーミスタ保持部が蓄電セルから遠ざかる方向に変形してしまい、サーミスタの測温部が蓄電セルに密着しなくなる可能性がある。しかしながら、サーミスタ保持部が、ばね部材当接部に接続されて積層方向に延びる軸部と、軸部の積層方向一端側に設けられた第１係合部と、軸部の積層方向他端側に設けられた第２係合部とを備え、積層方向に隣接する一対の蓄電セルホルダの一方の第１係合部が他方の第２係合部に係合することで、ばね部材からの荷重を受ける蓄電セルホルダのサーミスタ保持部が、それに隣接する蓄電セルホルダのサーミスタ保持部に連結されて剛性が高められ、これにより蓄電セルホルダのばね部材当接部が蓄電セルから遠ざかる方向へ変形するのを防止することができる。
【００１４】
また請求項２の構成によれば、第１係合部および第２係合部は凹凸係合するので、第１係合部および第２係合部を利用して隣接する蓄電セルホルダを相互に位置決めすることができる。
【００１５】
また請求項３の構成によれば、第１係合部および第２係合部はピン形状とピン孔形状とで凹凸係合するので、第１係合部および第２係合部を利用して隣接する蓄電セルホルダを相互に精度良く位置決めすることができる。
【００１６】
また請求項４の構成によれば、蓄電セルホルダのサーミスタ保持部は、蓄電セルの主面に接触するプレート部の下端に接続され、第１係合部および第２係合部はプレート部の下方への延長線上で係合するので、第１、第２係合部の剛性をプレート部により高めることで、サーミスタの測温部を蓄電セルの底面に一層確実に接触させることができる。
【００１７】
また請求項５の構成によれば、蓄電セルホルダのプレート部の上端に蓄電セルの頂面に係合する第３係合部を設けたので、サーミスタのばね部材の弾発力でサーミスタ保持部が下方に移動しようとするのを、蓄電セルホルダのプレート部の上端の第３係合部を蓄電セルの頂面に係合させることで阻止し、サーミスタの測温部を蓄電セルの底面に一層確実に接触させることができる。
【図面の簡単な説明】
【００１８】
【図１】蓄電モジュールの斜視図。（第１の実施の形態）
【図２】蓄電モジュールの分解斜視図。（第１の実施の形態）
【図３】図１の３方向矢視図。（第１の実施の形態）
【図４】図３の４方向矢視図。（第１の実施の形態）
【図５】図４の５−５線断面図。（第１の実施の形態）
【図６】図５の６−６線断面図。（第１の実施の形態）
【図７】図５の７−７線断面図。（第１の実施の形態）
【図８】図３の８方向矢視図。（第１の実施の形態）
【図９】図５の９−９線断面図。（第１の実施の形態）
【図１０】図８の１０部拡大図。（第１の実施の形態）
【図１１】図１０の１１方向矢視図。（第１の実施の形態）
【図１２】図３に対応する作用説明図。（第１の実施の形態）
【図１３】第１、第２係合部の他の実施の形態を示す図。（第２の実施の形態）
【発明を実施するための形態】
【第１の実施の形態】
【００１９】
以下、図１〜図１２に基づいて本発明の第１の実施の形態を説明する。
【００２０】
図１および図２に示すように、電気自動車やハイブリッド自動車の電源装置として使用される蓄電モジュールＭは、積層方向に積層された所定個数（実施の形態では１２個）の蓄電セル１１…を備える。例えばリチウムイオンバッテリよりなる各蓄電セル１１は直方体状に形成され、相互に対向する一対の主面１１ａ，１１ａと、主面１１ａ，１１ａに対して直交して相互に対向する一対の側面１１ｂ，１１ｂと、主面１１ａ，１１ａおよび側面１１ｂ，１１ｂに対して直交して相互に対向する頂面１１ｃおよび底面１１ｄとを備えており、頂面１１ｃには正負の電極１１ｅ，１１ｅが設けられる。
【００２１】
尚、本明細書において、積層方向に直交して蓄電セル１１の頂面１１ｃおよび底面１１ｄを結ぶ方向を上下方向と定義し、積層方向に直交して蓄電セル１１の一対の側面１１ｂ，１１ｂを結ぶ方向を左右方向と定義する。
【００２２】
１２個の蓄電セル１１…の主面１１ａ…と、合成樹脂で構成された１１個の四角い板状の中間蓄電セルホルダ１２…とが積層方向に交互に重ね合わされ、積層方向両端の２個の蓄電セル１１，１１の積層方向外側に合成樹脂で構成された一対の四角い板状の端部蓄電セルホルダ１２Ａ，１２Ｂが重ね合わされ、更にその積層方向外側に一対の金属製のエンドプレート１４，１４が重ね合わされる。１１個の中間蓄電セルホルダ１２…は互換可能な同一形状の部材であり、一対の端部蓄電セルホルダ１２Ａ，１２Ｂは中間蓄電セルホルダ１２…とは形状が異なり、かつ相互に形状が異なる部材である。
【００２３】
蓄電セル１１…、中間蓄電セルホルダ１２…、端部蓄電セルホルダ１２Ａ，１２Ｂおよびエンドプレート１４，１４を積層方向に積層した状態で、Ｌ字状断面を有する一対の金属製の棒状部材よりなる上部フレーム１５，１５と、Ｌ字状断面を有する一対の金属製の棒状部材よりなる下部フレーム１６，１６とにより、一対のエンドプレート１４，１４の四隅どうしを連結して蓄電モジュールＭが組み立てられる。即ち、上部フレーム１５，１５の両端に設けられた厚肉の締結部１５ａ…と、下部フレーム１６，１６の両端に設けられた厚肉の締結部１６ａ…とがエンドプレート１４，１４の四隅に突き当てられ、エンドプレート１４，１４を貫通するボルト１７…を締結部１５ａ…，１６ａ…に螺合することで、蓄電モジュールＭが組み立てられる。
【００２４】
このとき、蓄電セル１１…、中間蓄電セルホルダ１２…および端部蓄電セルホルダ１２Ａ，１２Ｂと上部フレーム１５，１５との間に、結露水によって蓄電セル１１…と上部フレーム１５，１５とが液絡するのを防止するための合成樹脂製の上部インシュレータ１８，１８が配置される。同様に、蓄電セル１１…、中間蓄電セルホルダ１２…および端部蓄電セルホルダ１２Ａ，１２Ｂと下部フレーム１６，１６との間に、結露水によって蓄電セル１１…と下部フレーム１６，１６とが液絡するのを防止するための合成樹脂製の下部インシュレータ１９，１９が配置される。更に、下部フレーム１６，１６と下部インシュレータ１９，１９との間に、各蓄電セル１１…の底面１１ｄ…を上向きに押し上げてガタの発生を防止するための板ばね２０，２０が配置される。
【００２５】
中間蓄電セルホルダ１２および端部蓄電セルホルダ１２Ａ，１２Ｂの各々は、板状のプレート部１２ａと、プレート部１２ａの四隅から積層方向に突出する４個の第３係合部１２ｂ…と、プレート部１２ａの下端中央部に設けられたサーミスタ保持部１２ｃとを備える。
【００２６】
次に、図３〜図９に基づいてサーミスタ保持部１２ｃの構造を詳述する。
【００２７】
中間蓄電セルホルダ１２のプレート部１２ａの下端中央部から下方かつ積層方向一方に突出するサーミスタ保持部１２ｃは、積層方向に沿って相互に平行に延びる左右一対の縦壁部１２ｄ，１２ｄと、縦壁部１２ｄ，１２ｄの下端から相互に接近する方向に延びる左右一対の横壁部１２ｅ，１２ｅとを備える。横壁部１２ｅ，１２ｅの相互に対向する先端部間には、所定の隙間が形成される。横壁部１２ｅ，１２ｅの積層方向長さは縦壁部１２ｄ，１２ｄの積層方向長さよりも短く、縦壁部１２ｄ，１２ｄの積層方向中間位置には相互に接近する方向に突出する段部１２ｆ，１２ｆ（図７参照）が形成される。縦壁部１２ｄ，１２ｄの左右方向外側の壁面には積層方向に延びる軸部１２ｇ，１２ｇが一体に形成されており、軸部１２ｇ，１２ｇの積層方向一端にはピン状の第１係合部１２ｈ，１２ｈが突設され、軸部１２ｇ，１２ｇの積層方向他端には第１係合部１２ｈ，１２ｈが係合可能なピン孔状の第２係合部１２ｉ，１２ｉが形成される。
【００２８】
一対の端部蓄電セルホルダ１２Ａ，１２Ｂは、共に四隅に第３係合部１２ｂ…を備え、下端中央部にサーミスタ保持部１２ｃを備えるが、一方の端部蓄電セルホルダ１２Ａのサーミスタ保持部１２ｃは２個のピン孔状の第２係合部１２ｉ，１２ｉだけを備え（図４〜図６参照）、他方の端部蓄電セルホルダ１２Ｂのサーミスタ保持部１２ｃは中間蓄電セルホルダ１２…のサーミスタ保持部１２ｃと同一構造のピン状の第１係合部１２ｈ，１２ｈを有するサーミスタ保持部１２ｃを備える（図８および図９参照）。
【００２９】
蓄電モジュールＭを組み立てた状態で１１個の中間蓄電セルホルダ１２…のサーミスタ保持部１２ｃ…は蓄電セル１１…の底面１１ｄ…に沿って積層方向に直列に連結され、その左右方向両側の蓄電セル１１…の底面１１ｄ…が左右の下部インシュレータ１９，１９によって覆われる。
【００３０】
図４〜図６に示すように、一方のサーミスタ２１Ａは、矩形状の底壁部２１ａと、底壁部２１ａの積層方向他端から立ち上がる後壁部２１ｂと、底壁部２１ａの左右両端から左右方向外側に突出する左右一対の係止爪２１ｃ，２１ｃと、一対の係止爪２１ｃ，２１ｃに挟まれる位置で底壁部２１ａに固定された左右一対のＶ字状のばね部材２１ｄ，２１ｄと、一対のばね部材２１ｄ，２１ｄに挟まれる位置で底壁部２１ａに固定された測温部２１ｅと、後壁部２１ｂの積層方向他端側の面に設けられて測温部２１ｅを２本のハーネス２２，２２に接続するコネクタ部２１ｆとを備える。他方のサーミスタ２１Ｂの構造は、上述した一方のサーミスタ２１Ａの構造と同じである。
【００３１】
図３および図１２に示すように、本実施の形態では、１個の蓄電モジュールＭの１２個の蓄電セル１１…のうち、一方のエンドプレート１４に隣接する蓄電セル１１と、他方のエンドプレート１４に隣接する蓄電セル１１とをサーミスタ２１Ａ，２１Ｂで測温する場合（図３参照）と、１個の蓄電モジュールＭの１２個の蓄電セル１１…のうち、一方のエンドプレート１４に隣接する蓄電セル１１と、一方のエンドプレート１４から７個目の蓄電セル１１とをサーミスタ２１Ａ，２１Ｂで測温する場合（図１２参照）とがある。以下、前者の場合について説明する。
【００３２】
図３、図１０および図１１に示すように、一方のエンドプレート１４に隣接する蓄電セル１１を保持する中間蓄電セルホルダ１２のサーミスタ保持部１２ｃに装着された一方のサーミスタ２１Ａから延びるハーネス２２，２２は、合成樹脂で鞘状に形成されたハーネスホルダ２４の内部に保持される。断面Ｕ字状のハーネスホルダ２４は、底壁２４ａと、その底壁２４ａの左右両側縁から立ち上がる一対の側壁２４ｂ，２４ｂとを有して蓄電セル１１…とは逆方向に開口するように形成されており、側壁２４ｂ，２４ｂの先端から相互に接近する方向に複数の爪部２４ｃ…が突設される。底壁２４ａおよび側壁２４ｂ，２４ｂの境界部であって爪部２４ｃ…に対応する位置には、複数の水抜き孔２４ｄ…が形成される。隣接する爪部２４ｃ…の間であって側壁２４ｂ，２４ｂの外面には、サーミスタ保持部１２ｃ…の横壁部１２ｅ…の先端が係合する凹部２４ｅ…が形成される。
【００３３】
一対のハーネス２２，２２は、柔軟な合成樹脂で断面Ｅ字状に形成したインナーホルダ２３の内部に収納されて擦れを防止した状態で、ハーネスホルダ２４の底壁２４ａおよび一対の側壁２４ｂ，２４ｂにより三方を囲まれた空間に挿入され、爪部２４ｃ…によってハーネスホルダ２４から脱落しないように保持される。ハーネスホルダ２４の積層方向他端側から延びる一方のサーミスタ２１Ａのハーネス２２，２２は他方のサーミスタ２１Ｂ上に重ね合わされ、そこから一方および他方のサーミスタ２１Ａ，２１Ｂの合計４本のハーネス２２…は束ねられてハーネスカバー２５で覆われる。ハーネスカバー２５から出た４本のハーネス２２の先端に設けられたコネクタ２６は、他方のエンドプレート１４の外面に設けた電子制御ユニット２７に接続される。そして一方のサーミスタ２１Ａのハーネス２２，２２およびインナーホルダ２３を保持したハーネスホルダ２４は、その凹部２４ｅ…にサーミスタ保持部１２ｃ…の横壁部１２ｅ…の先端が係合することで、蓄電モジュールＭの底面に接した状態で積層方向に沿って固定される。
【００３４】
一対のサーミスタ２１Ａ，２１Ｂを、積層方向両端の蓄電セル１１，１１に接触させる場合、ハーネスホルダ２４の長さは積層された蓄電セル１１…の１０個分の長さに対応している（図３参照）。それに対し、一対のサーミスタ２１Ａ，２１Ｂを、積層方向一端から１個目の蓄電セル１１と７個目の蓄電セル１１とに接触させる場合、ハーネスホルダ２４の長さは積層された蓄電セル１１…の５個分の長さに対応している（図１２参照）。
【００３５】
次に、上記構成を備えた本発明の実施の形態の作用を説明する。
【００３６】
組み立てられた蓄電モジュールＭの底面に一方のサーミスタ２１Ａを装着するには、そのサーミスタ２１Ａの測温部２１ｅを蓄電セル１１…の底面１１ｄ…に対向させた姿勢で、サーミスタ２１Ａの先端を積層方向一端の中間蓄電セルホルダ１２のサーミスタ保持部１２ｃの左右の縦壁部１２ｄ，１２ｄ間に挿入することで、一対のばね部材２１ｄ，２１ｄを左右の横壁部１２ｅ，１２ｅの上面（蓄電セル１１の底壁１１ｄに対向する面）に当接させる。挿入の過程で、サーミスタ２１Ａの左右の係止爪２１ｃ，２１ｃは、相互に接近する方向に弾性変形した状態で左右の縦壁部１２ｄ，１２ｄの内面に沿って進み、縦壁部１２ｄ，１２ｄの末端を超えると相互に離反する方向に拡開して左右の段部１２ｆ，１２ｆに係合し（図６参照）、これによりサーミスタ２１Ａは脱落不能にサーミスタ保持部１２ｃに保持される。
【００３７】
続いて、他方のサーミスタ２１Ｂを他方の端部蓄電セルホルダ１２Ｂのサーミスタ保持部１２ｃに装着するが、このとき誤って他方のサーミスタ２１Ｂを隣の中間蓄電セルホルダ１２のサーミスタ保持部１２ｃに装着してしまう可能性がある。しかしながら、本実施の形態によれば、ハーネス２２，２２に比べて剛性が高く屈曲し難いハーネスホルダ２４がハーネス２２，２２に装着されているため、他方のサーミスタ２１Ｂの位置が、それを装着すべき他方の端部蓄電セルホルダ１２Ｂのサーミスタ保持部１２ｃに近傍に自動的に位置決めされる。
【００３８】
これにより、他方のサーミスタ２１Ｂを誤って他方の端部蓄電セルホルダ１２Ｂの隣の中間蓄電セルホルダ１２のサーミスタ保持部１２ｃに装着して誤組みが発生するのを未然に防止することができる。なぜならば、その場合には一方および他方のサーミスタ２１Ａ，２１Ｂの距離が本来の蓄電セル１１…の１０個分の距離よりも小さい９個分の距離となるため、ハーネスホルダ２４は長さが余って下向きに弧状に屈曲してしまい、作業者が容易に誤組みに気がつくからである。
【００３９】
尚、他方のサーミスタ２１Ｂを他方の端部蓄電セルホルダ１２Ｂのサーミスタ保持部１２ｃに装着するとき、他方の端部蓄電セルホルダ１２Ｂのサーミスタ保持部１２ｃの構造は中間蓄電セルホルダ１２のサーミスタ保持部１２ｃの構造と同じであるため、その装着の仕方は同じである。
【００４０】
このようにして一対のサーミスタ２１Ａ，２１Ｂを所定の位置に装着した後、ハーネスホルダ２４の凹部２４ｅ…に中間蓄電セルホルダ１２…の相互に対向する横壁部１２ｅ…の先端を係合させることで、ハーネスホルダ２４が蓄電モジュールＭの底面に固定される。ハーネスホルダ２４を中間蓄電セルホルダ１２…固定することで、振動等でハーネスホルダ２４やハーネス２１，２１が損傷するのを防止することができる。そして４本のハーネス２１…の先端に設けたコネクタ２６を電子制御ユニット２７に接続することで配線を完了することができる。
【００４１】
図１２に示すように、一対のサーミスタ２１Ａ，２１Ｂを、積層方向一端の蓄電セル１１と、そこから７番目の蓄電セル１１とに接触させる場合も、一方のサーミスタ２１Ａを積層方向一端の蓄電セル１１に当接させることで、他方のサーミスタ２１Ｂを前記７番目の蓄電セル１１に確実に接触させることができ、誤組みの発生が確実に防止される。
【００４２】
またハーネスホルダ２４は、ハーネス２２，２２を三方から支持する底壁２４ａおよび一対の側壁２４ｂ，２４ｂと、一対の側壁２４ｂ，２４ｂの各々から相互に接近する方向に延びる複数の爪部２４ｃ…とを備えるので、ハーネス２２，２２をハーネスホルダ２４の内部に確実に保持することができる。しかも相互に対向する爪部２４ｃ…の先端間には所定の隙間が形成されるので、万一他方のサーミスタ２１Ｂを誤組みした場合に、ハーネス２２，２２が浮き上がって爪部２４ｃ…の先端間の隙間から外部に飛び出すことで、他方のサーミスタ２１Ｂの誤組みを作業者に一層確実に気づかせることができる。
【００４３】
またハーネスホルダ２４の端部から出た一方のサーミスタ２１Ａのハーネス２２，２２は他方のサーミスタ２１Ｂを跨ぐように通過するため、他方のサーミスタ２１Ｂの近傍で湾曲したハーネス２２，２２がハーネスホルダ２４から外れ易くなるが、ハーネスホルダ２４に爪部２４ｃ…を設けてハーネス２２，２２を保持することで、そのハーネス２２，２２がハーネスホルダ２４から外れるのを防止することができる。
【００４４】
また蓄電セル１１…の表面に発生した結露水がハーネス２２，２２に沿って流れるとき、他方のサーミスタ２１Ｂが一方のサーミスタ２１Ａと電子制御ユニット２７との間に配置されるので、他方のサーミスタ２１Ｂを跨ぐように下向きに湾曲したハーネス２２，２２の最下部から結露水を落下させることで、その結露水がハーネス２２…を伝わって電子制御ユニット２７に達するのを防止することができる。しかもハーネスホルダ２４に複数個の水抜き孔２４ｄ…を形成したので、結露水がハーネスホルダ２４の内部に浸入しても、その結露水を水抜き孔２４ｄ…からハーネスホルダ２４の外部に排出してハーネス２２，２２の劣化を防止することができる。
【００４５】
ところで、例えば一方のサーミスタ２１Ａは、ばね部材２１ｄ，２１ｄをサーミスタ保持部１２ｃの横壁部１２ｅ，１２ｅに当接させ、その反力で測温部２１ｅを蓄電セル１１の底面１１ｄに押し付けているが、ばね部材２１ｄ，２１ｄの弾発力で横壁部１２ｅ，１２ｅを下向きに押されたサーミスタ保持部１２ｃが、時間の経過と共に変形してプレート部１２ａに対して下向きに移動してしまい、サーミスタ２１Ａが蓄電セル１１から遠ざかるように下向きに移動して測温部２１ｅが蓄電セル１１の底面１１ｄに密着できなくなって測温精度が低下する可能性がある。この問題は、他方のサーミスタ２１Ｂについても同様に発生する。
【００４６】
しかしながら、本実施の形態によれば、中間蓄電セルホルダ１２…および端部蓄電セルホルダ１２Ａ，１２Ｂのサーミスタ保持部１２ｃ…が、第１係合部１２ｈ…および第２係合部１２ｉ…が相互に係合して一体に連結されることで、上記問題が解決される。なぜならば、中間蓄電セルホルダ１２…および端部蓄電セルホルダ１２Ａ，１２Ｂのサーミスタ保持部１２ｃ…が一体に連結されると、その剛性が高まることでばね部材２１ｄ，２１ｄの弾発力が加わっても変形し難くなり、測温部２１ｅを当初の位置に保持して蓄電セル１１の底面１１ｄに確実に接触させることができるからである。
【００４７】
また第１係合部１２ｈ…および第２係合部１２ｉ…はピンおよびピン孔によって凹凸係合するので、その係合によって相互に隣接する中間蓄電セルホルダ１２，１２および端部蓄電セルホルダ１２Ａ，１２Ｂどうしを相互に精度良く位置決めすることができる。
【００４８】
また第１係合部１２ｈ…および第２係合部１２ｉ…の係合位置が、中間蓄電セルホルダ１２…および一方の端部蓄電セルホルダ１２Ａのプレート部１２ａ…の下方への延長線上で係合するので（図５、図６および図９参照）、第１係合部１２ｈ…および第２係合部１２ｉ…の剛性をプレート部１２ａ…により高めることで、サーミスタ２１Ａ，２１Ｂの測温部２１ｅ，２１ｅを蓄電セル１１，１１の底面１１ｄ，１１ｄに一層確実に接触させることができる。
【００４９】
またばね部材２１ｄ，２１ｄの弾発力で中間蓄電セルホルダ１２自体あるいは他方の端部蓄電セルホルダ１２Ｂ自体が下方に移動してしまうと、サーミスタ保持部１２ｃ，１２ｃが変形しなくても、サーミスタ２１Ａ，２１Ｂの測温部２１ｅ，２１ｅが蓄電セル１１，１１の底面１１ｄ，１１ｄに密着できなくなる可能性がある。しかしながら、本実施の形態によれば、中間蓄電セルホルダ１２および他方の端部蓄電セルホルダ１２Ｂの上端に蓄電セル１１，１１の頂面１１ｃ，１１ｃに係合する第３係合部１２ｂ…（図２参照）を設けたので、中間蓄電セルホルダ１２自体あるいは他方の端部蓄電セルホルダ１２Ｂ自体が下方に移動するのを阻止し、サーミスタ２１Ａ，２１Ｂの測温部２１ｅ，２１ｅを蓄電セル１１，１１の底面１１ｄ，１１ｄに一層確実に接触させることができる。
【第２の実施の形態】
【００５０】
次に、図１３に基づいて本発明の第２の実施の形態を説明する。
【００５１】
第２の実施の形態は、サーミスタ保持部１２ｃの第１係合部１２ｈおよび第２係合部１２ｉの形状に特徴を有している。即ち、第１の実施の形態では第１係合部１２ｈがピン形状であり、第２係合部１２ｉがピン孔形状であるが、第２の実施の形態は第１係合部１２ｈが突部であり、第２係合部１２ｉが凹部である。つまり第１、第２係合部１２ｈ，１２ｉは上下方向に重なり合うように相互に凹凸係合するものであれば良い。
【００５２】
以上、本発明の実施の形態を説明したが、本発明はその要旨を逸脱しない範囲で種々の設計変更を行うことが可能である。
【００５３】
例えば、サーミスタ保持部１２ｃの第１係合部１２ｈおよび第２係合部１２ｉは必ずしも凹凸係合する必要はなく、平坦部どうしの係合であっても良い。
【００５４】
また実施の形態の蓄電セル１１はリチウムイオンバッテリに限定されず、他種のバッテリやキャパシタであっても良い。
【符号の説明】
【００５５】
１１        蓄電セル
１１ａ      主面
１２        蓄電セルホルダ
１２ａ      プレート部
１２ｂ      第３係合部
１２ｃ      サーミスタ保持部
１２ｅ      横壁部（ばね部材当接部）                                            １２ｇ 軸部
１２ｈ      第１係合部
１２ｉ      第２係合部
２１Ａ      サーミスタ
２１Ｂ      サーミスタ
２１ｄ      ばね部材
２１ｅ      測温部
【図１】
0005619075.tif 000002
【図２】
0005619075.tif 000003
【図３】
0005619075.tif 000004
【図４】
0005619075.tif 000005
【図５】
0005619075.tif 000006
【図６】
0005619075.tif 000007
【図７】
0005619075.tif 000008
【図８】
0005619075.tif 000009
【図９】
0005619075.tif 000010
【図１０】
0005619075.tif 000011
【図１１】
0005619075.tif 000012
【図１２】
0005619075.tif 000013
【図１３】
0005619075.tif 000014